(57)【要約】【課題】引起装置をワンタッチでオープンすることができ、しかも、このオープンが軽い操作力でもって行うことができる引起し装置の揺動開閉機構を提供する。【解決手段】刈取装置（９）の前側に、分草後の穀稈を引き起す複数の引起装置（８ａ，８ｂ，８ｃ，８ｄ）を左右方向に並設し、これら複数の引起装置（８ａ，８ｂ，８ｃ，８ｄ）のうちの非引起作用側を対向させて隣接配置した一対の引起装置（８ｂ，８ｃ）を一体的に連結し、この連結された一対の引起装置（８ｂ，８ｃ）を、この一対の引起装置（８ｂ，８ｃ）の左右設置幅の中心位置に対して左右一側に偏倚した縦軸（１９）回りに回動可能に支持する。【選択図】  図４
2012139118.tif 000002
【特許請求の範囲】
【請求項１】
刈取装置（９）の前側に、分草後の穀稈を引き起す複数の引起装置（８ａ，８ｂ，８ｃ，８ｄ）を左右方向に並設し、これら複数の引起装置（８ａ，８ｂ，８ｃ，８ｄ）のうちの非引起作用側を対向させて隣接配置した一対の引起装置（８ｂ，８ｃ）を一体的に連結し、この連結された一対の引起装置（８ｂ，８ｃ）を、この一対の引起装置（８ｂ，８ｃ）の左右設置幅の中心位置に対して左右一側に偏倚した縦軸（１９）回りに回動可能に支持したことを特徴とするコンバインの穀稈引起装置。
【請求項２】
前記一対の引起装置（８ｂ，８ｃ）の背面側には、引起装置（８ａ，８ｂ，８ｃ，８ｄ）の上部に設けた横伝動軸（２０）と先端に分草具（７）を備える分草フレーム（１４）とを連結する補強フレーム（２７）を配置したことを特徴とする請求項１記載のコンバインの穀稈引起装置。
【請求項３】
前記複数の引起装置（８ａ，８ｂ，８ｃ，８ｄ）の上部の横伝動軸（２０）から垂下した吊下伝動軸（２１）より分岐させて前記一対の引起装置（８ｂ，８ｃ）を伝動する構成とし、前記一対の引起装置（８ｂ，８ｃ）が、吊下伝動軸（２１）と、分草フレーム（１４）から上方に立ち上げて該一対の引起装置（８ｂ，８ｃ）の下部側を支持する支持部材（２８）とを回動軸芯として回動する構成としたことを特徴とする請求項１又は請求項２記載のコンバインの穀稈引起装置。
【請求項４】
前記吊下伝動軸（２１）を、正面視において前記一対の引起装置（８ｂ，８ｃ）のうちの片方の引起装置（８ｃ）の駆動スプロケット（２４）の上方に配置したことを特徴とする請求項３記載のコンバインの穀稈引起装置。
【請求項５】
前記支持部材（２８）は、刈取前の植立穀稈を前方から後方に掻き寄せる掻込ベルト（１０）よりも上方に配置したことを特徴とする請求項３又は請求項４記載のコンバインの穀稈引起装置。
【発明の詳細な説明】
【技術分野】
【０００１】
この発明は、コンバインの穀稈引起装置に関する。
【背景技術】
【０００２】
特許文献１に開示されたものは、複数条の穀稈を引き起す引起装置を配設し、引起装置の引起しケースを、上下方向に配設された引起し駆動パイプの軸回りに回動可能で、且つ引き起こし駆動軸の軸回りに回動可能に支持したものである。
【先行技術文献】
【特許文献】
【０００３】
【特許文献１】特開２０１０−２２３０９号公報
【発明の概要】
【発明が解決しようとする課題】
【０００４】
上記構成のものでは、メンテナンス作業時には、作業空間を確保するため、重い引起しケースを左右方向上方に大きく持ち上げてからロックしなければならず、作業が煩雑なものとなっている。
【０００５】
本発明の課題は、引起装置をワンタッチでオープンすることができ、しかも、このオープンが軽い操作力でもって行うことができる引起装置の揺動開閉機構を提供する。
【課題を解決するための手段】
【０００６】
この発明は、上記課題を解決すべく次のような技術的手段を講じた。
すなわち、請求項１記載の発明は、刈取装置（９）の前側に、分草後の穀稈を引き起す複数の引起装置（８ａ，８ｂ，８ｃ，８ｄ）を左右方向に並設し、これら複数の引起装置（８ａ，８ｂ，８ｃ，８ｄ）のうちの非引起作用側を対向させて隣接配置した一対の引起装置（８ｂ，８ｃ）を一体的に連結し、この連結された一対の引起装置（８ｂ，８ｃ）を、この一対の引起装置（８ｂ，８ｃ）の左右設置幅の中心位置に対して左右一側に偏倚した縦軸（１９）回りに回動可能に支持したことを特徴とするコンバインの穀稈引起装置とする。
【０００７】
引起装置（８ａ，８ｂ，８ｃ，８ｄ）の後方部のメンテナンス時には、一体的に連結された隣合う一対の引起装置（８ｂ，８ｃ）を左右一側に偏倚した縦軸（１９）を支点として外側方にオープンすることができる。オープンされた一対の引起装置（８ｂ，８ｃ）の後方部が大きく開放されるので、刈取装置（９）や掻込搬送装置等に詰まった藁屑の除去やメンテナンスが容易に行える。
【０００８】
前記一対の引起装置（８ｂ，８ｃ）は、上下方向の縦軸（１９）回りの揺動開閉であるため、これの開閉操作がワンタッチで簡単に行える。また、オープン時にあっても上方への持ち上げがないため、軽い操作力で行うことができる。
【０００９】
請求項２記載の発明は、前記一対の引起装置（８ｂ，８ｃ）の背面側には、引起装置（８ａ，８ｂ，８ｃ，８ｄ）の上部に設けた横伝動軸（２０）と先端に分草具（７）を備える分草フレーム（１４）とを連結する補強フレーム（２７）を配置したことを特徴とする請求項１記載のコンバインの穀稈引起装置とする。
【００１０】
一対の引起装置（８ｂ，８ｃ）をオープン可能な構成とすることから、この引起装置（８ｂ，８ｃ）と分草フレーム（１４）とのボルト止め等による連結を避けるため、分草フレーム（１４）の強度が低下するが、補強フレーム（２７）によって充分に確保することができる。
【００１１】
請求項３記載の発明は、前記複数の引起装置（８ａ，８ｂ，８ｃ，８ｄ）の上部の横伝動軸（２０）から垂下した吊下伝動軸（２１）より分岐させて前記一対の引起装置（８ｂ，８ｃ）を伝動する構成とし、前記一対の引起装置（８ｂ，８ｃ）が、吊下伝動軸（２１）と、分草フレーム（１４）から上方に立ち上げて該一対の引起装置（８ｂ，８ｃ）の下部側を支持する支持部材（２８）とを回動軸芯として回動する構成としたことを特徴とする請求項１又は請求項２記載のコンバインの穀稈引起装置とする。
【００１２】
簡潔な伝動構成でもって一対の引起装置（８ｂ，８ｃ）を駆動することができ、この一対の引起装置（８ｂ，８ｃ）をそれぞれ個別にオープンすることなく、一体的にオープンさせることができ、操作が容易に行える。
【００１３】
請求項４記載の発明は、前記吊下伝動軸（２１）を、正面視において前記一対の引起装置（８ｂ，８ｃ）のうちの片方の引起装置（８ｃ）の駆動スプロケット（２４）の上方に配置したことを特徴とする請求項３記載のコンバインの穀稈引起装置とする。
【００１４】
伝動経路に分岐経路が少なくて済み、伝動構成が簡潔となって安価に実施することができる。
請求項５記載の発明は、前記支持部材（２８）は、刈取前の植立穀稈を前方から後方に掻き寄せる掻込ベルト（１０）よりも上方に配置したことを特徴とする請求項３又は請求項４記載のコンバインの穀稈引起装置とする。
【００１５】
一対の引起装置（８ｂ，８ｃ）を縦軸（１９）回りにオープンする時、引起装置（８ｂ，８ｃ）下部の支持部材（２８）が掻込ベルト（１０）に干渉することがない。
【発明の効果】
【００１６】
請求項１記載の発明によれば、連結された一対の引起装置（８ｂ，８ｃ）は、縦軸（１９）回りの開閉であるため、この開閉操作を簡単に行うことができ、また、オープン時にあっても上方への持ち上げを必要としないため、軽い操作力で速やかにオープンさせることができ、メンテナンスを能率よく行うことができる。
【００１７】
請求項２記載の発明によれば、上記請求項１記載の発明の効果に加え、引起装置（８ｂ，８ｃ）を簡単にオープンすることができるものでありながら、引起装置（８ｂ，８ｃ）と分草フレーム（１４）との不連結による分草フレーム（１４）の強度低下を補強フレーム（２７）によって補い、強度を充分に確保することができる。
【００１８】
請求項３記載の発明によれば、請求項１又は請求項２記載の発明の効果を奏するものでありながら、簡潔な伝動構成でもって一対の引起装置（８ｂ，８ｃ）を駆動することができ、この一対の引起装置（８ｂ，８ｃ）をそれぞれ個別にオープンすることなく、一体的に容易にオープンさせることができる。
【００１９】
請求項４記載の発明によれば、請求項３記載の発明の効果を奏するものでありながら、伝動経路に分岐経路が少なくて済み、伝動構成が簡素化できて安価に提供することができる。
【００２０】
請求項５記載の発明によれば、請求項３記載の効果を奏するものでありながら、一対の引起装置（８ｂ，８ｃ）を縦軸（１９）回りにオープンする時、掻込ベルトに対する干渉を防止することができ、この一対の引起装置（８ｂ，８ｃ）のオープンがスムーズに行える。
【図面の簡単な説明】
【００２１】
【図１】コンバインの正面図
【図２】刈取部要部の引起しオープン時の正面図
【図３】同上要部の引起しオープン時の背面図
【図４】刈取部の要部の前方側斜視図
【図５】刈取部の要部の平面図
【図６】刈取部の要部の背面側斜視図
【図７】刈取部の要部の側面図
【図８】同上要部の側面図
【図９】引起し伝動機構を示す要部の正面図
【図１０】同上要部の平面図
【図１１】刈取部の要部の斜視図、
【図１２】別実施例の引起し伝動機構を示す要部の正面図
【図１３】別実施例の引起しオープン作動状態を示す平面図
【図１４】刈取部の要部の斜視図
【図１５】同上要部の側面図
【図１６】引起しロック機構の側面図
【図１７】引起し部の要部の側面図
【図１８】同上要部の平面図
【図１９】同上要部の分解斜視図
【図２０】同上要部の分解斜視図
【図２１】引起し部の要部の側面図
【発明を実施するための形態】
【００２２】
この発明の実施例を図面に基づき説明する。
図１及び図２は、コンバインを示すものであり、この走行車体１には、左右一対の走行クローラ２，２を備え、後部に搭載した脱穀装置３の前方部に刈取部４を設置し，刈取部４の横側部には運転席５や操作ボックス６等の運転操作部を備え、更に、その運転操作部の後方には脱穀粒を一時的に貯留するグレンタンクＧを装備している。
【００２３】
刈取部４は、立毛する穀稈を左右に分草する分草具７，７…と、分草後の穀稈を引き起す４条の穀稈引起装置８ａ，８ｂ，８ｃ，８ｄと、引起し後の穀稈を刈り取るバリカン式刈刃からなる刈取装置９と、刈取装置の前方から後方位置まで穀稈を掻込誘導する掻込ベルト１０と、刈取後の穀稈を掻込搬送する掻込搬送装置１１と、掻込搬送後の穀稈を合流搬送する合流搬送装置１２と、合流後の穀稈を引き継いで揚上搬送しながら姿勢変更して脱穀装置に受け渡し供給する供給搬送装置１３等からなり、車体に対し上下に昇降可能に装備している。
【００２４】
中央の分草具７ｃは、引起装置８ｃの引起しケースに装着されると共に、刈取装置９側から前方に突設する分草フレーム１４に対し嵌脱自在に嵌入支持されている。
穀稈引起装置８は、引起しチエンを内装し前後に分割可能な前後の引起しケース１５ａ，１５ｂと引起しケースから引起し経路に突出して穀稈を引き起す引起しラグ１６とからなる。
【００２５】
左右両サイドの引起装置８ａ，８ｄを除く中央側の隣合う一対の引起装置８ｂ，８ｃは、下部側を連結プレート１７で、上部側をコの字型構成の伝動ケース１８でもって一体的に連結してあり、そして、該引起装置８ａ，８ｂの一側（右側又は左側）寄りに偏倚して設けた上下方向に沿う縦軸１９を回動支点として前方横側方に向けて揺動開放（オープン）できるように構成している。
【００２６】
引起装置８ｂ，８ｃの伝動構成について説明すると、各引起装置８ａ，８ｂ，８ｃ，８ｄの上部に架設した横伝動軸２０と、該横伝動軸２０からベベルギヤＧ１，Ｇ２を介して下方に垂下する吊下伝動軸２１と、これよりベベルギヤＧ３，Ｇ４を介して回転駆動する前後方向の連動軸２２と、これよりベベルギヤＧ５，Ｇ６を介して回転駆動する左右方向の連動軸２３及びベベルギヤＧ７，Ｇ８を介して一対の引起装置８ｂ，８ｃの駆動スプロケット２４，２５を回転駆動すべく連動構成している。これら連動軸やベベルギヤ機構は、前記伝動ケース１８内に内装している。
【００２７】
また、前記吊下伝動軸２１は、正面視で右側の引起装置８ｃの駆動スプロケット２４の上方に設定している。
前記分草フレーム１４は、引起装置の背面側には、引起装置の上部に設けた横伝動軸２０の横伝動フレーム２６から下方に垂下せる補強フレーム２７によって強固に連結保持させている。補強フレーム２７は、上部側を引起しケースの中間位置まで引起しケース背面に沿わせ、中間部から下部に向かっては隣接する掻込ベルト１０，１０の中間位置を通り分草フレーム１４に接合させ、正面から見て、引起装置８ｃ，８ｄの背面側で両者の隣接部位に沿うように配置している。
【００２８】
また、前記引起装置８ｃ，８ｄは、前記分草フレーム１４より上方に立ち上げた引起装置の下部側を支持する支持部材２８と前記吊下伝動軸２１を同一回動軸芯としてオープンするように構成している。前記吊下伝動軸２１は前記縦軸１９の上部に内架してあり、前記支持部材２８は、縦軸１９の下部側に架設され、しかも、前記掻込ベルト１０よりも上側位置に配置することによって引起装置オープン時にその支持部材が掻込ベルトに干渉するのを防止することができる。
【００２９】
掻込ベルト１０の掻込ケース３０は、その前端部を取付ステー３１によって前記補強フレーム２７に装着支持している。
側面視において、引起装置の引起しケース１５の傾斜角に対し、縦軸１９をそれと同傾斜とする平行状に設定することにより、回動軌跡を縦軸の上下で同一にでき、構成部材の簡素化を図ることができるが、引起しケースの傾斜角よりも縦軸を後方傾斜とする鋭角（θ）に構成することもでき、これによると、下部回動支点を前方にでき、他部材との干渉を防止でき、側面視で上方に回動するため、隣の分草部材等との干渉を防止することができる。
【００３０】
引起しオープンの別構成例について説明すると、一対の引起装置８ｂ，８ｃの横伝動構成として、図１２に示すように、横伝動チエン３２とベベルギヤ伝動機構３３を介して引起し駆動スプロケット軸２４ａ，２５ａを回転駆動する構成とし、そして、横伝動チエン３２ケースの両軸（１），（２）で回動可能とし、２段階でオープンさせる構成としている。つまり、図１３に示すように、第１段階として（１）を中心として矢印（イ）方向に回動オープンし、第２段階で（２）を中心として矢印（ロ）方向に回動オープンすることで、開放空間をより大きくとることができる。
【００３１】
刈取部の各所への注油において、図１１に示すように、注油タンク３４に連通する注油ホース３５は、横伝動フレーム２６、補強フレーム２７の背面を通して刈取装置９の刈刃中央部へと配策している。
【００３２】
図１４及び図１５に示すように、引起装置８ｂの引起しケース１５背面と掻込センタフレーム３６との間にはガスダンパ３７を設けてあり、ガスダンパ３７の補助力によって引起装置が軽い操作力でオープンできるように構成している。また、ガスダンパ３７は、この伸長限界でオープン量を規制する構成であり、オープン時の開き位置を規制することができる。
【００３３】
前記掻込センタフレーム３６は補強フレーム２７に連結してあり、補強フレームが掻込センタフレームの支持部材を兼ねることにより、部品点数、コストの低減を図っている。
引起装置をオープンするときには、ロック機構の解除が簡単に行えることが望ましい。図１６に示す実施例では、引起装置を閉じたときにおいては、引起しケース１５の背部に軸架されたレバー軸３９回りに回動可能で付勢バネ４０にて付勢されたロックプレート４１と、刈取部側フレームより突設されたロックピン４２とによって係止固定可能な構成としている。引起装置をオープンするときは、ロックレバー４３を引いてロックプレート４１とロックピン４２との係止固定状態を解除する。ロック機構の配置は引起装置の回動支点側とは反対側の引起装置側としている。なお、ロック機構が引起装置の背部に設定する場合は、ロックされているか非かが判りにくい為、ロック機構の近傍に目視判明可能なインジケータを設けておくと良い。
【００３４】
図１７〜図１９に示す実施例は、引起しオープンの回動支持部を補強フレーム２７側に配置した構成例を示すものである。引起しケース１５側及び伝動ケース１８側から突設した回動支持アーム４４，４４に下向きの回動ピン４５を突設し、補強フレーム２７側に穴４６ａ付きの支持プレート４６を突設し、座金４７、スナップリング４８を介して回動可能且つ着脱自在に結合させた構成としている。この構成によると、引起装置をユニットで簡単に着脱することができる。
【００３５】
なお、上記構成に加えて、図２０に示すようなトルクスプリング４９を設けることによってオープン方向への付勢力を助長し、軽い力でオープンすることができる。また、トルクスプリングの開き状態の規制によっては引起しオープン量も安全性の範囲内で規制することができる。
【００３６】
また、図２１に示すように、引起しケース１５背面に支持棒５０を配置して、引起しオープン時には、その先端部を掻込センタフレーム部３６に係止することで、オープン時の開き位置を規制するように構成している。引起し収納時は、引起しケースの背面に沿わせて収納しクランプ５１にて保持するようにしている。
【００３７】
なお、前記支持棒５０は、補強フレーム２７側に配置し、オープン時には先端部を引起しケースの背面に係止してオープン時の開き位置を規制するように構成してもよい。
左右の引起装置をユニットで着脱可能に構成したものにおいて、左右引起しケースの背面部に把手を設けておくと、取り外し時には、左右両側に手をまわして把持し、抱え込むようにして取り外すことが容易にできる。
【符号の説明】
【００３８】
７    分草具
９    刈取装置
８ａ  穀稈引起装置
８ｂ  穀稈引起装置（一対の引起装置）
８ｃ  穀稈引起装置（一対の引起装置）
８ｄ  穀稈引起装置
１０    掻込ベルト
１４    分草フレーム
１９    縦軸
２０    横伝動軸
２１    吊下伝動軸
２４    引起し駆動スプロケット
２５    引起し駆動スプロケット
２７    補強フレーム
２８    支持部材
【図１】
2012139118.tif 000003
【図２】
2012139118.tif 000004
【図３】
2012139118.tif 000005
【図４】
2012139118.tif 000006
【図５】
2012139118.tif 000007
【図６】
2012139118.tif 000008
【図７】
2012139118.tif 000009
【図８】
2012139118.tif 000010
【図９】
2012139118.tif 000011
【図１０】
2012139118.tif 000012
【図１１】
2012139118.tif 000013
【図１２】
2012139118.tif 000014
【図１３】
2012139118.tif 000015
【図１４】
2012139118.tif 000016
【図１５】
2012139118.tif 000017
【図１６】
2012139118.tif 000018
【図１７】
2012139118.tif 000019
【図１８】
2012139118.tif 000020
【図１９】
2012139118.tif 000021
【図２０】
2012139118.tif 000022
【図２１】
2012139118.tif 000023